(57)【要約】【課題】播種作業と同時に防除作業を行って、管理作業の能率向上を図ること。【解決手段】走行車体の前車輪と後車輪との間に播種装置を配置した乗用管理機において、走行車体は、左右一対の後車輪間に運転部の座席を配置し、同座席の後方位置にエンジンを配置し、同エンジンの上方位置に除草用の薬液タンクを配置する一方、座席の前方位置に薬液ポンプを配置して、同薬液ポンプより薬液タンク中の薬液を播種装置の近傍に配置した薬液ノズルより噴霧させて、防除作業が行えるようにした。【選択図】　　　　　図１
2004041034.tif 000002
【特許請求の範囲】
【請求項１】
走行車体の前車輪と後車輪との間に播種装置を配置した乗用管理機において、
走行車体は、左右一対の後車輪間に運転部の座席を配置し、同座席の後方位置にエンジンを配置し、同エンジンの上方位置に除草用の薬液タンクを配置する一方、座席の前方位置に薬液ポンプを配置して、同薬液ポンプより薬液タンク中の薬液を播種装置の近傍に配置した薬液ノズルより噴霧させて、防除作業が行えるようにしたことを特徴とする乗用管理機。
【請求項２】
播種装置は、左右方向に伸延するユニット支持体に複数の播種ユニットを左右方向に位置調節自在に取り付けて構成し、各播種ユニット毎に薬液ノズルを一体的に取り付けて、各薬液ノズルを播種ユニットと共に位置調節できるようにしたことを特徴とする請求項１記載の乗用管理機。
【発明の詳細な説明】
【０００１】
【発明の属する技術分野】
本発明は、管理作業、例えば、播種作業、防除作業、耕耘作業、中耕除草、畦立てや土寄せ等の対地作業、苗移植作業、及び、収穫作業等を行う乗用管理機に関する。
【０００２】
【従来の技術】
従来、乗用管理機の一形態として、左右一対の後車輪を具備する管理機本体より前方へ支持フレームを延設し、同支持フレームの前端部に前車輪を取り付けると共に、同支持フレームの中途部に播種装置を垂設して、同播種装置を前車輪と後車輪との間に配置したものがある。
【０００３】
このようにして、機体を走行させながら播種装置により播種を行って、播種作業が行えるようにしている。
【０００４】
【発明が解決しようとする課題】
一般的に、播種作業を行った際には、除草剤を散布する防除作業を行うようにしているが、上記した乗用管理機は防除装置を具備しておらず、播種作業と同時に防除作業が行えるようにはなっていないという不具合がある。
【０００５】
また、単に、乗用管理機に防除装置を組み込んだのでは、機体の重量バランスが採れなくなり、機体の走行安定性を良好に確保できないという不具合がある。
【０００６】
【課題を解決するための手段】
そこで、本発明では、走行車体の前車輪と後車輪との間に播種装置を配置した乗用管理機において、走行車体は、左右一対の後車輪間に運転部の座席を配置し、同座席の後方位置にエンジンを配置し、同エンジンの上方位置に除草用の薬液タンクを配置する一方、座席の前方位置に薬液ポンプを配置して、同薬液ポンプより薬液タンク中の薬液を播種装置の近傍に配置した薬液ノズルより噴霧させて、防除作業が行えるようにしたことを特徴とする乗用管理機を提供するものである。
【０００７】
また、本発明は、播種装置は、左右方向に伸延するユニット支持体に複数の播種ユニットを左右方向に位置調節自在に取り付けて構成し、各播種ユニット毎に薬液ノズルを一体的に取り付けて、各薬液ノズルを播種ユニットと共に位置調節できるようにしたことにも特徴を有する。
【０００８】
【発明の実施の形態】
以下に、本発明の実施の形態について説明する。
【０００９】
すなわち、本発明に係る乗用管理機は、基本的構造として、走行車体の前車輪と後車輪との間に播種装置を配置している。
【００１０】
そして、特徴的構造として、走行車体は、左右一対の後車輪間に運転部の座席を配置し、同座席の後方位置にエンジンを配置し、同エンジンの上方位置に除草用の薬液タンクを配置する一方、座席の前方位置に薬液ポンプを配置して、同薬液ポンプより薬液タンク中の薬液を播種装置の近傍に配置した薬液ノズルより噴霧させて、防除作業が行えるようにしている。
【００１１】
また、播種装置は、左右方向に伸延するユニット支持体に複数の播種ユニットを左右方向に位置調節自在に取り付けて構成し、各播種ユニット毎に薬液ノズルを一体的に取り付けて、各薬液ノズルを播種ユニットと共に位置調節できるようにしている。
【００１２】
【実施例】
以下に、本発明の実施例を、図面を参照しながら説明する。
【００１３】
図１及び図２に示すＡは、本発明にかかる乗用管理機であり、同乗用管理機Ａは、走行車体１に播種装置２と防除装置３とを装備している。
【００１４】
そして、走行車体１は、車体フレーム４の前端部に前者輪支持体５を介して前車輪６を取り付ける一方、車体フレーム４の後部にミッション部７を設け、同ミッション部７の左右側部にリヤアクスルケース８，８を介して左右一対の後車輪９，９を連動連設している。
【００１５】
また、前車輪６は、ミッション部７に前車輪駆動軸２２を介して連動連結している。
【００１６】
車体フレーム４は、前後方向に伸延する支持フレーム形成体１０と、同支持フレーム形成体１０の後端部に連設した床部形成体１１とから形成しており、同床部形成体１１上には運転部１２を設けている。
【００１７】
運転部１２は、床部形成体１１の前部にステアリングコラム１３を立設し、同ステアリングコラム１３の上端部にホイール支軸１４を介してステアリングホイール１５を取り付けると共に、同ステアリングホイール１５の直後方位置でかつ左右一対の後車輪９，９間に座席１６を配置し、同座席１６の直後方位置にエンジン支持枠体１７を介してエンジン１８を配置している。１９は変速操作レバー、２０は昇降操作レバー、２１は、運転部１２の上方を被覆するキャノピー（天蓋）である。
【００１８】
播種装置２は、支持フレーム形成体１０の前部に昇降機構３０を介して昇降自在に取り付けており、同播種装置２は、昇降機構３０の先端部に左右方向に伸延するユニット支持体３１を取り付けて、同ユニット支持体３１に複数（本実施例では四個）の播種ユニット３２，３２，３２，３２を左右幅方向にスライド位置調節自在に取り付けて構成している。
【００１９】
そして、各播種ユニット３２は、ユニット機枠３３に播種繰り出し部３４を取り付け、同播種繰り出し部３４の上部に播種ホッパー３５を連通連設する一方、同播種繰り出し部３４の下方位置に左右一対の溝切りディスク３６，３６と覆土輪３７と鎮圧輪３８とを前方から後方へ順次配置し、同鎮圧輪３８と上記播種繰り出し部３４との間に伝動ケース３９を介設している。
【００２０】
このようにして、各播種ユニット３２を昇降機構３０を介して接地状態に支持して、同状態にて前方へ移動させると、左右一対の溝切りディスク３６，３６が圃場面Ｇ上に二条の播種溝（図示せず）を形成し、同播種溝に後続の覆土輪３７が覆土し、この覆土を後続の鎮圧輪３８が鎮圧するようにしている。
【００２１】
この際、鎮圧輪３８が回動すると、伝動ケース３９を介して播種繰り出し部３４が回動されて、播種ホッパー３５中の種子が播種繰り出し部３４より所定量づつ繰り出されて、前記した播種溝中に覆土される直前に播種されるようにしている。
【００２２】
防除装置３は、前記したエンジン１８の上方位置に除草用の薬液タンク４０を配置する一方、座席１　６の前方位置である前記支持フレーム形成体１０の後端部に薬液ポンプ４１を配置し、前記した各播種ユニット３２の鎮圧輪３８の支軸３８ａに、それぞれノズル支持ブラケット４２を介して左右一対の薬液ノズル４３，４３を取り付けて、同薬液ポンプ４１より薬液タンク４０中の薬液を、各播種溝に沿わせて各薬液ノズル４３，４３より噴霧させて、防除作業が行えるようにしている。
【００２３】
すなわち、図３に示すように、薬液ポンプ４１は、前記したミッション部７にポンプ駆動用ＰＴＯ軸５０を介して連動連結し、同薬液ポンプ４１と薬液タンク４０との間には薬液流路４４を介設しており、同薬液流路４４は、吸入流路４４ａと吐出流路４４ｂと圧力調整流路４４ｃと戻し流路４４ｄとから形成している。
【００２４】
そして、吸入流路４４ａにフィルター４５を設け、同フィルター４５にドレン流路４６を接続している。
【００２５】
また、吐出流路４４ｂに分水ケース４７を設け、同分水ケース４７にノズル接続流路４８，４８，４８，４８の基端部を接続すると共に、各ノズル接続流路４８，４８，４８，４８の先端部に二又分岐流路４８ａ・・・を形成して、各二又分岐流路４８ａの先端に薬液ノズル４３，４３を接続している。
【００２６】
そして、各二又分岐流路４８ａの先端に接続した左右一対の薬液ノズル４３，４３は、四個の播種ユニット３２毎に一体的に取り付けて、各播種ユニット３２と共に左右方向に伸延するユニット支持体３１に沿わせて左右方向に位置調節することができるようにしている。
【００２７】
圧力調整流路４４ｃには圧力調整弁４９を取り付けて、同圧力調整弁４９を操作することにより、吐出流路４４ｂを通して供給される薬液の圧力、さらには、各薬液ノズル４３より吐出される薬液の圧力を適宜調整することができるようにしている。５１は圧力計、５２は止め弁である。
【００２８】
ここで、前記した分水ケース４７は、座席１６の右側方に形成される空間Ｓ１内に配置する一方、同座席１６の左側方に形成される空間Ｓ２内に燃料タンク５３を配置して、これら空間Ｓ１，Ｓ２を有効活用すると共に、機体の左右重量バランスを良好に確保している。
【００２９】
【発明の効果】
（１）請求項１記載の本発明では、走行車体は、左右一対の後車輪間に運転部の座席を配置し、同座席の後方位置にエンジンを配置し、同エンジンの上方位置に除草用の薬液タンクを配置する一方、座席の前方位置に薬液ポンプを配置して、同薬液ポンプより薬液タンク中の薬液を播種装置の近傍に配置した薬液ノズルより噴霧させて、防除作業が行えるようにしている。
【００３０】
このようにして、播種作業と同時に防除作業を行って、管理作業の能率向上を図ることができる。
【００３１】
この際、左右一対の後車輪間に配置した座席を中心に、同座席の後方位置にエンジンと薬液タンクとを上下に配置し、座席の前方位置に薬液ポンプを配置しているため、比較的重量物であるエンジンと薬液タンクと薬液ポンプをコンパクトに配置することができると共に、機体の前後重量バランスを良好となすことができて、機体の走行安定性を良好に確保することができる。
【００３２】
そして、播種装置は支持フレームの中途部に垂設して、前車輪と後車輪との間に配置し、同播種装置の近傍に薬液ノズルを配置しているため、作業者は、座席に着座して走行操作を行いながら薬液ノズルからの薬液の噴霧状態を容易に視認することができて、防除作業を確実に行うことができる。
【００３３】
（２）請求項２記載の本発明では、播種装置は、左右方向に伸延するユニット支持体に複数の播種ユニットを左右方向に位置調節自在に取り付けて構成し、各播種ユニット毎に薬液ノズルを一体的に取り付けて、各薬液ノズルを播種ユニットと共に位置調節できるようにしている。
【００３４】
このようにして、各薬液ノズルを播種ユニットと共に位置調節することができるため、各播種ユニットの条間合わせを行うことにより、各薬液ノズルの条間合わせも同時に完了させることができて、二重の手間を省くことができ、その結果、条間合わせ作業が楽になる。
【図面の簡単な説明】
【図１】本発明にかかる乗用管理機の側面説明図。
【図２】同乗用管理機の平面図。
【図３】薬液流路説明図。
【符号の説明】
Ａ　乗用管理機
１　走行車体
２　播種装置
３　防除装置
４　車体フレーム
５　前者輪支持体
６　前車輪
７　ミッション部
８　リヤアクスルケース
９　後車輪
【図１】
2004041034.tif 000003
【図２】
2004041034.tif 000004
【図３】
2004041034.tif 000005